(57)【要約】  この発明は、緊急避難時に避難支援を行うエレベーター装置に関する。  乗場（８）に設けられ、避難運転時に、避難階（１ｂ）と救出階（１ａ）との間でかご（３）の往復運転を要求する往復運転要求モード及び避難を完了した避難完了モードのいずれかを選択操作可能なキースイッチ（９）と、前記かご（３）内に設けられる第一の報知手段（１７）と、通常運転と避難運転とを切換え可能であり、前記避難運転に切換えた際に前記キースイッチ（９）が操作された場合、当該キースイッチ（９）が前記往復運転要求モードを選択している乗場（８）の階床を救出階（１ａ）、前記避難完了モードを選択している乗場（８）の階床を避難完了階（１ｃ）とし、前記避難完了階（１ｃ）の乗場（８）に設けられる乗場ボタン（１１）が操作された場合に、前記第一の報知手段（１７）に当該避難完了階（１ｃ）を報知させるエレベーター制御装置（１９）とを備える。
2016079772.tif 000002
【特許請求の範囲】
【請求項１】
乗場に設けられ、避難運転時に、避難階と救出階との間でかごの往復運転を要求する往復運転要求モード及び避難を完了した避難完了モードのいずれかを選択操作可能なキースイッチと、  前記かご内に設けられる第一の報知手段と、  通常運転と避難運転とを切換え可能であり、前記避難運転に切換えた際に前記キースイッチが操作された場合、当該キースイッチが前記往復運転要求モードを選択している乗場の階床を救出階、前記避難完了モードを選択している乗場の階床を避難完了階とし、前記避難完了階の乗場に設けられる乗場ボタンが操作された場合に、前記第一の報知手段に当該避難完了階を報知させるエレベーター制御装置とを備えるエレベーター装置。
【請求項２】
前記かご内に設けられる複数の行先階登録ボタンを備え、  前記エレベーター制御装置は、前記複数の行先階登録ボタンのうち前記第一の報知手段が報知する前記避難完了階に対応するボタンが予め決められた操作をされると、前記避難完了階を行先階に指定したかご呼び登録を受付ける請求項１に記載のエレベーター装置。
【請求項３】
前記エレベーター制御装置は、複数の前記避難完了階の前記乗場ボタンが操作された場合に、前記第一の報知手段に前記複数の避難完了階を報知させ、前記第一の報知手段が前記複数の避難完了階を報知している場合に、前記複数の行先階登録ボタンのうち前記複数の避難完了階に対応するボタンがそれぞれ予め決められた操作をされると、前記複数の避難完了階をそれぞれ行先階に指定した複数のかご呼び登録を受付ける請求項２に記載のエレベーター装置。
【請求項４】
前記複数の行先階登録ボタンは、発光可能であり、前記避難完了階の前記乗場ボタンが操作された場合に、当該避難完了階に該当するボタンを点灯または点滅する第一の報知手段である請求項２または請求項３に記載のエレベーター装置。
【請求項５】
前記エレベーター制御装置は、前記かごが前記往復運転を行っている場合に前記避難完了階の前記乗場ボタンが操作されると、前記往復運転を一時解除する請求項１から請求項４のいずれか一項に記載のエレベーター装置。
【請求項６】
前記乗場に設けられ、前記避難完了階の乗場に設けられる乗場ボタンが操作された場合に、当該避難完了階を報知する第二の報知手段を備え、  前記避難完了階の前記乗場ボタンが操作された場合に、前記避難完了階に設けられる前記第二の報知手段と前記避難完了階以外に設けられる前記第二の報知手段とで通話が可能な請求項１から請求項５のいずれか一項に記載のエレベーター装置。
【発明の詳細な説明】
【技術分野】
【０００１】  この発明は、緊急避難時に避難支援を行うエレベーター装置に関する。
【背景技術】
【０００２】  従来のエレベーター装置は、建物で火災等の非常事態が発生すると、通常運転から避難運転に切換る。避難運転に切換った場合、避難誘導員は、救出階の乗場及びかごに設けられるキースイッチを操作する。エレベーター制御装置は、避難誘導員により救出階の乗場に設けられたキースイッチが操作され、その操作がかご往復運転モード要求の場合、当該乗場と予め決められた避難階との間でかごを往復運転させる（例えば特許文献１）。
【先行技術文献】
【特許文献】
【０００３】
【特許文献１】国際公開第２０１３／００１６４３号公報（第４頁、第２図）
【発明の概要】
【発明が解決しようとする課題】
【０００４】  しかしながら、特許文献１に記載のエレベーター装置にあっては、避難運転時において、避難誘導員が所持するキーを使ってキースイッチを操作しなければ、乗場呼び登録を行えない。そのため、避難誘導員が当該救出階の救出活動を終えて、かご往復運転モードを解除し、当該救出階から離れた後に、当該救出階の乗場に遅れて避難者が到着した場合、避難者は、乗場呼び登録を行えない。【０００５】  この発明は上記のような問題点を解決するためになされたもので、避難誘導員が避難完了と判断し、かご往復運転モードを解除して乗場から離れた後でも、当該乗場からの乗場呼び登録操作を有効にするエレベーター装置を得る。
【課題を解決するための手段】
【０００６】  この発明に係るエレベーター装置は、乗場に設けられ、避難運転時に、避難階と救出階との間でかごの往復運転を要求する往復運転要求モード及び避難を完了した避難完了モードのいずれかを選択操作可能なキースイッチと、前記かご内に設けられる第一の報知手段と、通常運転と避難運転とを切換え可能であり、前記避難運転に切換えた際に前記キースイッチが操作された場合、当該キースイッチが往復運転要求モードを選択している乗場の階床を救出階、避難完了モードを選択している乗場の階床を避難完了階とし、前記避難完了階の乗場に設けられる乗場ボタンが操作された場合に、前記第一の報知手段に当該避難完了階を報知させるエレベーター制御装置とを備える。
【発明の効果】
【０００７】  この発明によれば、避難運転時に、避難誘導員がかご往復運転モードを解除して乗場を離れた後であっても、遅れて到着した避難者による当該乗場からの乗場呼び登録操作を有効にできる。また、避難者が乗場呼び登録操作を行った避難完了階をかご内に報知するので、かご内にいる避難誘導員は、逃げ遅れた避難者のいる乗場を認知できる。
【図面の簡単な説明】
【０００８】
【図１】この発明の実施の形態１を示すエレベーター装置を備える建物の概略図である。
【図２】この発明の実施の形態１を示す救出階及び避難完了階の乗場の概略図である。
【図３】この発明の実施の形態１を示すキースイッチの正面図である。
【図４】この発明の実施の形態１を示すかご内の概略図である。
【図５】この発明の実施の形態１を示すエレベーター装置の機能ブロック図である。
【図６】避難運転時におけるエレベーター制御装置の動作を示すフローチャートである。
【図７】この発明の実施の形態１を示す行先階登録ボタンの正面図である。
【図８】救出階と避難階との間でかごが往復運転している際に避難完了階の乗場ボタンが操作された場合のエレベーター制御装置の動作を示すフローチャートである。
【図９】この発明の実施の形態２を示すキースイッチの正面図である。
【発明を実施するための形態】
【０００９】実施の形態１．  図１は、この発明の実施の形態１を示すエレベーター装置を備える建物１の概略図である。建物１には、各階を貫く昇降路２が設けられる。昇降路２内には、かご３及びつり合いおもり４がロープ５に釣支される。ロープ５は、巻上機６及びそらせ車７に巻き掛けられる。巻上機６が回転駆動すると、ロープ５が移動し、かご３及びつり合いおもり４が昇降する。図１において、建物１には、３つの救出階１ａと、１つの避難階１ｂと、１つの避難完了階１ｃがある。救出階１ａは、避難誘導員が避難者の救助を行っている階である。避難階１ｂは、救出階１ａから避難した避難者が建物１の外へ避難する階であり、例えば玄関階に設定されている。避難完了階１ｃは、避難誘導員がすべての避難者を救出したと判断した階である。
【００１０】  図２は、この発明の実施の形態１を示す救出階１ａ及び避難完了階１ｃの乗場８の概略図である。乗場８には、キースイッチ９、スピーカーマイク１０、乗場ボタン１１、乗場ドア１２が設けられる。避難運転において、避難誘導員は、キースイッチ９にキー（図示せず）を挿入した状態でキーを回し、かご３の往復運転を指示する。スピーカーマイク１０は、第二の報知手段である。なお、避難階１ｂの乗場８には、キースイッチ９は設けられない。その他の構成は、救出階１ａ及び避難完了階１ｃと同様である。
【００１１】  図３は、この発明の実施の形態１を示すキースイッチ９の正面図である。キースイッチ９は、３点式である。避難誘導員は、キースイッチ９に所持するキー（図示せず）を挿入した状態でキーを回し、往復運転要求モードを示す「ＯＮ」、往復運転解除モードを示す「ＯＦＦ」、避難完了モードを示す「完了」のいずれかを選択する。キースイッチ９は、前記選択に応じた制御信号をエレベーター制御装置１９に出力する。キースイッチ９で「ＯＮ」を選択すると、エレベーター制御装置１９は、この階床を救出階１ａと判断し、かご３をこの救出階１ａと避難階１ｂとの間で往復運転させ、この乗場８に設けられる乗場ボタン１１の押下による乗場呼び登録を無効にする。キースイッチ９で「ＯＦＦ」を選択すると、エレベーター制御装置１９は、この階床をかご３の往復運転の対象外にし、この乗場８に設けられる乗場ボタン１１の押下による乗場呼び登録を無効にする。キースイッチ９で「完了」を選択すると、エレベーター制御装置１９は、この階床を避難完了階１ｃと判断し、この避難完了階１ｃをかご３の往復運転の対象外にし、この乗場８に設けられる乗場ボタン１１の押下による乗場呼び登録を有効にする。なお、キースイッチ９の表記は、「ＯＮ」、「ＯＦＦ」、「完了」としたがこれに限らず、例えば、「選択」、「取消」、「完了」としても良い。
【００１２】  図４は、この発明の実施の形態１を示すかご３内の概略図である。かご３は、天井１３、かご壁１４、かご床１５から成り、かごドア１６及び行先階登録ボタン１７を備える。
【００１３】  図５は、この発明の実施の形態１を示すエレベーター装置の機能ブロック図である。エレベーター制御装置１９は、駆動装置２０、非常事態感知装置２１、かご３及びかご３に設けられる行先階登録ボタン１７、満員判定装置１８、乗場８及び乗場８に設けられるキースイッチ９、スピーカーマイク１０、乗場ボタン１１と接続される。エレベーター制御装置１９は、通常運転と避難運転の切換えを行い、各運転モードにおいて、エレベーターの運行を制御する。駆動装置２０は、巻上機６を回転駆動させ、昇降路２内においてかご３及びつり合いおもり４を昇降させる。非常事態感知装置２１は、火災等の非常事態を感知する装置である。非常事態感知装置２１が非常事態を感知すると、エレベーター制御装置１９は、通常運転から避難運転に切換る。満員判定装置１８は、かご３内の負荷荷重を検出し、かご３が満員かを判定する。なお、満員判定装置１８は、かご３内の負荷荷重を検出するとしたが、これに限らず、例えば、かご３内にカメラを設け、このカメラで撮影した画像から、かご３が満員かを判定する構成にしても良い。
【００１４】  次に、図６に基づいて、避難運転時におけるエレベーター制御装置１９の動作を説明する。  図６は、避難運転時におけるエレベーター制御装置１９の動作を示すフローチャートである。  非常事態感知装置２１が火災等の非常事態を感知すると、ステップ（以下、Ｓと称す。）１０１で、エレベーター制御装置１９は、通常運転モードから避難運転モードに切換る。避難誘導員は、避難者のいる救出階１ａのキースイッチ９にキーを挿入した状態でキーを回し、「ＯＮ」を選択する。エレベーター制御装置１９は、キースイッチ９でＯＮを選択している救出階１ａと避難階１ｂとの間で、かご３を往復運転させる。避難誘導員は、当該かご３の往復運転により救出階１ａにいる避難者を避難階１ｂへ避難させる。  避難誘導員は、救出階１ａの乗場８にいるすべての避難者を避難階１ｂへ避難させると、避難完了と判断し、キーを使ってキースイッチ９を「完了」に切換え、他の階の救出に向かう。エレベーター制御装置１９は、この避難完了階１ｃをかご３の往復運転の対象外にする。
【００１５】  Ｓ１０２で、建物１内におけるいずれかの乗場ボタン１１が操作されたことを検出すると、Ｓ１０３で、エレベーター制御装置１９は、乗場ボタン１１が操作された乗場８が、避難階１ｂ、救出階１ａ、避難完了階１ｃのいずれであるかを判断する。以下、乗場ボタン１１が操作された階床をＸ階と称す。Ｘ階が救出階１ａまたは避難階１ｂの場合は、Ｓ１０４で、エレベーター制御装置１９は、乗場呼び登録を無効にする。一方、Ｘ階が避難完了階１ｃの場合は、エレベーター制御装置１９は、乗場呼び登録を受付け、Ｓ１０５に進む。ここで、エレベーター制御装置１９が乗場呼び登録を受付けると、Ｘ階の乗場８に設けられるスピーカーマイク１０と避難階１ｂの乗場８に設けられるスピーカーマイク１０とで通話が可能になる。これにより、避難階１ｂの乗場８にいる避難誘導員は、避難完了階１ｃの乗場８にいる避難者に、避難指示を出すことができる。
【００１６】  Ｓ１０５で、かご３内に設けられた行先階登録ボタン１７のうち、Ｘ階のボタンを点灯または点滅させる。図７は、この発明の実施の形態１を示す行先階登録ボタン１７の正面図であり、５階のボタンが点灯または点滅している例を示している。行先階登録ボタン１７は、点灯または点滅により、かご３内にいる避難誘導員に対し、Ｘ階に避難者がいることを報知する、第一の報知手段の機能を有する。
【００１７】  Ｓ１０６で、エレベーター制御装置１９は、避難階１ｂの乗場８に設けられるスピーカーマイク１０に、Ｘ階に避難者がいることを報知させ、Ｓ１０７に進む。これにより、避難階１ｂの乗場８で避難者を誘導している避難誘導員に、避難者がいる避難完了階１ｃを報知できる。
【００１８】  Ｓ１０７で、避難誘導員は、かご３内において、点灯または点滅している行先階登録ボタン１７に対し予め決められた操作を行う。予め決められた操作とは、例えば、避難階１ｂのボタンと点灯または点滅しているボタンを同時に押下する、点灯または点滅しているボタンを予め決められた回数押下する、点灯または点滅しているボタンを予め決められた時間押下し続ける等である。この操作がされるまで、Ｓ１０６に戻り、避難階１ｂの乗場８に設けられたスピーカーマイク１０からの報知を継続する。Ｓ１０７で、エレベーター制御装置１９は、行先階登録ボタン１７が予め決められた操作をされたことを検出すると、Ｓ１０８に進む。Ｓ１０８で、エレベーター制御装置１９は、Ｘ階を行先階に指定したかご呼び登録を受付ける。エレベーター制御装置１９がかご呼び登録を受付けると、Ｓ１０９に進む。
【００１９】  Ｓ１０９で、エレベーター制御装置１９は、かご３を、かご呼び登録で指定されたＸ階へ走行させる。これにより、避難誘導員は、かご３に乗車し、避難完了階１ｃにいる避難者の救出に向かう。
【００２０】  次に、図８に基づいて、救出階１ａと避難階１ｂとの間でかご３が往復運転している際に避難完了階１ｃの乗場ボタン１１が操作された場合のエレベーター制御装置１９の動作を説明する。  図８は、救出階１ａと避難階１ｂとの間でかご３が往復運転している際に避難完了階１ｃの乗場ボタン１１が操作された場合のエレベーター制御装置１９の動作を示すフローチャートである。  Ｓ２０１で、エレベーター制御装置１９は、通常運転から避難運転に切換る。Ｓ２０２で、エレベーター制御装置１９は、かご３を救出階１ａと避難階１ｂとの間で往復運転させ、救出階１ａにいる避難者を避難階１ｂへ避難させる。
【００２１】  Ｓ２０３で、建物１内におけるいずれかの乗場ボタン１１が操作されたことを検出するとＳ２０４に進み、エレベーター制御装置１９は、乗場ボタン１１が操作された乗場８が、避難階１ｂ、救出階１ａ、避難完了階１ｃのいずれであるかを判断する。以下、乗場ボタン１１が操作された乗場８をＸ階と称す。Ｘ階が避難階１ｂまたは救出階１ａの場合は、Ｓ２０５に進み、乗場ボタン１１の操作により生じた乗場呼び登録を無効にする。Ｘ階が避難完了階１ｃの場合は、乗場呼び登録を有効にし、Ｓ２０６に進む。ここで、エレベーター制御装置１９が乗場呼び登録を受付けると、Ｘ階の乗場８に設けられるスピーカーマイク１０と避難階１ｂの乗場８に設けられるスピーカーマイク１０とで通話が可能になる。これにより、避難階１ｂの乗場８にいる避難誘導員は、避難完了階１ｃの乗場８にいる避難者に、避難指示を出すことができる。
【００２２】  Ｓ２０６で、エレベーター制御装置１９は、かご３の往復運転を一時解除する。かご３の往復運転を中断すると、Ｓ２０７に進む。
【００２３】  Ｓ２０７で、かご３内に設けられた行先階登録ボタン１７のうち、Ｘ階のボタンを点灯または点滅させ、Ｓ２０８に進む。これにより、かご３内にいる避難誘導員に、避難者がいる避難完了階１ｃを報知できる。
【００２４】  Ｓ２０８で、かご３に設けられた満員判定装置１８は、かご３が満員かを判定する。満員の場合、Ｓ２０９に進み、かご３に乗車している避難者を避難階１ｂへ避難させてから、Ｓ２１０に進む。一方、Ｓ２０８で、かご３が満員ではない場合、Ｓ２１０に進む。
【００２５】  Ｓ２１０で、避難階１ｂの乗場８に設けられるスピーカーマイク１０より、Ｘ階に避難者がいることを報知し、Ｓ２１１に進む。これにより、避難階１ｂの乗場８で避難者を誘導している避難誘導員に、避難者がいる避難完了階１ｃを報知できる。
【００２６】  Ｓ２１１で、避難誘導員は、かご３内において、点灯または点滅している行先階登録ボタン１７に対し予め決められた操作を行う。予め決められた操作とは、例えば、避難階１ｂのボタンと点灯または点滅しているボタンを同時に押下する、点灯または点滅しているボタンを予め決められた回数押下する、点灯または点滅しているボタンを予め決められた時間押下し続ける等である。この操作がされるまで、Ｓ２１０に戻り、避難階１ｂの乗場８に設けられたスピーカーマイク１０からの報知を継続する。Ｓ２１１で、行先階登録ボタン１７が予め決められた操作をされると、Ｓ２１２に進む。Ｓ２１２で、エレベーター制御装置１９は、Ｘ階を行先階に指定したかご呼び登録を受付ける。エレベーター制御装置１９がかご呼び登録を受付けると、Ｓ２１３に進む。
【００２７】  Ｓ２１３で、エレベーター制御装置１９は、かご３を、かご呼び登録で指定されたＸ階へ走行させる。これにより、避難誘導員は、エレベーターを使って、避難完了階１ｃにいる避難者を救出しに向かえる。避難完了階１ｃにいる避難者を救出した後、Ｓ２１４に進む。
【００２８】  Ｓ２１４で、満員判定装置１８は、かご３が満員かを判定する。満員の場合、Ｓ２１５に進み、かご３は、避難階１ｂへ走行し、かご３に乗車している避難者を避難階１ｂへ避難させる。その後、Ｓ２１７に進み、救出階１ａと避難階１ｂとの間で、かご３の往復運転を再開する。一方、Ｓ２１４で、かご３が満員ではない場合、Ｓ２１６に進み、かご３は救出階１ａへ走行する。かご３が救出階１ａに到着すると、Ｓ２１７に進み、かご３の往復運転を再開する。
【００２９】  なお、Ｓ１０３及びＳ２０４で、エレベーター制御装置１９が乗場呼び登録を受付けると、Ｘ階の乗場８に設けられるスピーカーマイク１０と避難階１ｂの乗場８に設けられるスピーカーマイク１０とで通話が可能になるとしたが、これに限らない。例えば、Ｘ階の乗場８に設けられるスピーカーマイク１０とＸ階を除くすべての乗場８に設けられるスピーカーマイク１０とで通話が可能になる構成にしても良い。これにより、避難階１ｂ以外の乗場８にいる避難誘導員も、避難完了階１ｃの乗場８にいる避難者に、避難指示を出すことができる。
【００３０】  なお、Ｓ１０６及びＳ２１０で、避難階１ｂの乗場８に設けられたスピーカーマイク１０より、乗場呼び登録がされた乗場８を報知するとしたが、これに限らず、例えば、すべての救出階１ａの乗場８に設けられたスピーカーマイク１０より報知を行っても良い。これにより、いずれかの救出階１ａの乗場８にいる避難誘導員は、避難完了階１ｃにいる避難者の救出に向かえる。
【００３１】  なお、Ｓ１０２及びＳ２０３で、複数の避難完了階１ｃの乗場８に設けられた乗場ボタン１１が押下されると、Ｓ１０５及びＳ２０７で、複数の行先階登録ボタン１７が点灯または点滅する。この場合、Ｓ１０７及びＳ２１１で、避難誘導員は、点灯または点滅している複数の行先階登録ボタン１７それぞれに対し、予め決められた操作を行える。複数の行先階登録ボタン１７に対し予め決められた操作がされると、Ｓ１０９及びＳ２１３で、かご３は、行先階登録ボタン１７の操作がされた階へ、順に走行する。なお、走行の順序は、行先階登録ボタン１７の操作がされた順としても良いし、上方階から下方階の順としても良い。または、その他の順序としても良い。
【００３２】  以上述べたように、この実施の形態におけるエレベーター装置にあっては、避難完了階１ｃの乗場８に遅れて到着した避難者は、乗場ボタン１１を使って救助要請を行い、エレベーターを使って避難できる。例えば、車椅子利用者や高齢者等が逃げ遅れてしまった場合に、逃げ遅れた避難者は、エレベーターを使って避難階１ｂへ避難できるので、避難誘導員による救出がスムーズに行われる。
【００３３】  また、この実施の形態におけるエレベーター装置にあっては、乗場８に設けられ、避難運転時に、避難階１ｂと救出階１ａとの間でかご３の往復運転を要求する往復運転要求モード及び避難を完了した避難完了モードのいずれかを選択操作可能なキースイッチ９と、かご３内に設けられる第一の報知手段と、通常運転と避難運転とを切換え可能であり、避難運転に切換えた際にキースイッチ９が操作された場合、当該キースイッチ９が往復運転要求モードを選択している乗場８の階床を救出階１ａ、避難完了モードを選択している乗場８の階床を避難完了階１ｃとし、避難完了階１ｃの乗場８に設けられる乗場ボタン１１が操作された場合に、第一の報知手段に当該避難完了階１ｃを報知させるエレベーター制御装置１９とを備える。これにより、避難運転時に、避難誘導員がかご往復運転モードを解除した避難完了階１ｃの乗場８に遅れて到着した避難者による当該乗場８からの乗場呼び登録操作を有効にできる。また、避難者が乗場呼び登録操作を行った避難完了階１ｃをかご３内に報知するので、かご内にいる避難誘導員は、逃げ遅れた避難者のいる避難完了階１ｃを認知できる。
【００３４】  また、この実施の形態におけるエレベーター装置にあっては、かご３内に設けられる複数の行先階登録ボタン１７を備え、エレベーター制御装置１９は、複数の行先階登録ボタン１７のうち第一の報知手段が報知する避難完了階１ｃに対応するボタンが予め決められた操作をされると、避難完了階１ｃを行先階に指定したかご呼び登録を受付ける。これにより、避難誘導員は、かご３内において報知される避難完了階１ｃに対応する行先階登録ボタン１７を操作し、かご３を使って避難者のいる避難完了階１ｃへ救出に向かえる。さらに、かご呼び登録は、行先階登録ボタン１７が予め決められた操作をされなければ受付けられないので、かご３に乗っている避難者が誤ってかご呼び登録をしてしまう恐れがない。
【００３５】  また、この実施の形態におけるエレベーター装置にあっては、エレベーター制御装置１９は、複数の避難完了階１ｃの乗場ボタン１１が操作された場合に、第一の報知手段に複数の避難完了階１ｃを報知させ、第一の報知手段が複数の避難完了階１ｃを報知している場合に、複数の行先階登録ボタン１７のうち複数の避難完了階１ｃに対応するボタンがそれぞれ予め決められた操作をされると、複数の避難完了階１ｃをそれぞれ行先階に指定した複数のかご呼び登録を受付ける。これにより、複数の避難完了階１ｃにおいて、乗場８に遅れて到着した避難者がいた場合に、避難誘導員は、かご３内において報知される複数の避難完了階１ｃに対応する行先階登録ボタン１７をそれぞれ操作し、かご３を使って避難者のいる複数の避難完了階１ｃへ救出に向かえる。
【００３６】  また、この実施の形態におけるエレベーター装置にあっては、複数の行先階登録ボタン１７は、発光可能であり、避難完了階１ｃの乗場ボタン１１が操作された場合に、当該避難完了階１ｃに該当するボタンを点灯または点滅する第一の報知手段である。これにより、避難誘導員は、かご３内において、行先階登録ボタン１７のうち点灯または点滅しているボタンから、逃げ遅れた避難者のいる避難完了階１ｃを認知できる。
【００３７】  また、この実施の形態におけるエレベーター装置にあっては、エレベーター制御装置１９は、かご３が往復運転を行っている場合に避難完了階１ｃの乗場ボタン１１が操作されると、往復運転を一時解除する。これにより、救出階１ａにいる避難者を避難階１ｂへ避難させている場合であっても、避難完了階１ｃの乗場８に遅れて到着した避難者を救出することができる。
【００３８】  また、この実施の形態におけるエレベーター装置にあっては、乗場８に設けられ、避難完了階１ｃの乗場８に設けられる乗場ボタン１１が操作された場合に、当該避難完了階１ｃを報知するスピーカーマイク１０を備え、避難完了階１ｃの乗場ボタン１１が操作された場合に、避難完了階１ｃに設けられるスピーカーマイク１０と避難完了階１ｃ以外に設けられるスピーカーマイク１０とで通話が可能である。これにより、避難完了階１ｃの乗場８に遅れて到着した避難者がいることを、避難完了階１ｃの乗場８を除くすべての乗場８に設けられるスピーカーマイク１０及びかご３内に設けられる行先階登録ボタン１７により報知するので、避難誘導員は、避難者のいる乗場８を早く認知できる。また、避難誘導員は、避難完了階１ｃの乗場８に遅れて到着した避難者に対し、避難指示を出すことができる。
【００３９】  なお、キースイッチ９は、避難誘導員が所持するキーを挿入した状態で回して操作するとしたが、これに限らない。例えば、キースイッチ９に避難誘導員が所持するキーを挿入した状態で、乗場ボタン１１を操作し、往復運転要求モード、往復運転解除モード、避難完了モードのいずれかを選択できる構成にしても良いし、この他の構成にしても良い。
【００４０】  なお、かご３内に設けられる第一の報知手段として、スピーカーまたはモニター等を設けても良い。この場合、避難誘導員が、スピーカーまたはモニターにより報知されている避難完了階１ｃに対応する行先階登録ボタン１７に対し予め決められた操作を行うと、エレベーター制御装置はかご呼び登録を受付ける。または、第一の報知手段として、スピーカーまたはモニター等を設けるとともに、避難完了階１ｃの乗場ボタン１１が操作された場合に、当該避難完了階１ｃに対応する行先階登録ボタン１７を点灯または点滅させても良い。
【００４１】  なお、乗場ボタン１１及び行先階登録ボタン１７は、それぞれ、押しボタン式でも、タッチパネル式でも良い。または、その他の構成でも良い。
【００４２】実施の形態２．  実施の形態１では、キースイッチ９は、３点式としたが、２点式でも良い。図９は、この発明の実施の形態２を示すキースイッチ９の正面図である。キースイッチ９にキー（図示せず）を挿入した状態でキーを回し、往復運転要求モードを示す「ＯＮ」、往復運転解除モードを示す「ＯＦＦ」のいずれかを選択する。キースイッチ９は、前記選択に応じた制御信号をエレベーター制御装置１９に出力する。キースイッチ９で「ＯＮ」を選択すると、エレベーター制御装置１９は、この階床を救出階１ａと判断し、かご３をこの救出階１ａと避難階１ｂとの間で往復運転させ、この乗場８に設けられる乗場ボタン１１の押下による乗場呼び登録を無効にする。キースイッチ９で「ＯＦＦ」を選択すると、エレベーター制御装置１９は、この階床をかご３の往復運転の対象外にし、この乗場８に設けられる乗場ボタン１１の押下による乗場呼び登録を無効にする。避難誘導員は、キースイッチ９で「ＯＮ」を選択した後「ＯＦＦ」に切換えると避難完了モードを選択できる。キースイッチ９で避難完了モードを選択すると、エレベーター制御装置１９は、この階床を避難完了階１ｃと判断し、この避難完了階１ｃをかご３の往復運転の対象外にし、この乗場８に設けられる乗場ボタン１１の押下による乗場呼び登録を有効にする。なお、キースイッチ９の表記は、「ＯＮ」、「ＯＦＦ」としたがこれに限らず、例えば、「選択」、「取消」としても良い。
【００４３】  この実施の形態におけるキースイッチ９を除くエレベーター装置の構成は、実施の形態１と同様である。また、避難完了階１ｃの乗場ボタン１１が操作された場合のエレベーター装置の動作及び救出階１ａと避難階１ｂとの間でかご３が往復運転している際に避難完了階１ｃの乗場ボタン１１が操作された場合のエレベーター装置の動作も、実施の形態１と同様である。
【００４４】  以上述べたように、この実施の形態におけるエレベーター装置にあっても、実施の形態１と同様に、避難完了階１ｃの乗場８に遅れて到着した避難者は、乗場ボタン１１を使って救助要請を行い、エレベーターを使って避難できる。例えば、車椅子利用者や高齢者等が逃げ遅れてしまった場合に、避難誘導員は、救出に向かえる。
【００４５】  なお、避難誘導員がキースイッチ９で「ＯＮ」を選択した後「ＯＦＦ」に切換えると避難完了モードを選択できるとしたが、これに限らず、例えば、キースイッチ９で「ＯＮ」を選択した後、一定時間が経過してから「ＯＦＦ」に切換えると避難完了モードを選択できる構成にしても良い。この構成によれば、「ＯＮ」を選択した後、誤操作により「ＯＦＦ」に切換えてしまった場合に、かごの往復運転が解除されてしまうことを防げる。
【００４６】  なお、キースイッチ９は、避難誘導員が所持するキーを挿入した状態で回して操作するとしたが、これに限らない。例えば、キースイッチ９に避難誘導員が所持するキーを挿入した状態で、乗場ボタン１１を操作し、往復運転要求モード、往復運転解除モード、避難完了モードのいずれかを選択できる構成にしても良いし、この他の構成にしても良い。
【００４７】  なお、かご３内に設けられる第一の報知手段として、スピーカーまたはモニター等を設けても良い。この場合、避難誘導員が、スピーカーまたはモニターにより報知されている避難完了階１ｃに対応する行先階登録ボタン１７に対し予め決められた操作を行うと、エレベーター制御装置はかご呼び登録を受付ける。または、第一の報知手段として、スピーカーまたはモニター等を設けるとともに、避難完了階１ｃの乗場ボタン１１が操作された場合に、当該避難完了階１ｃに対応する行先階登録ボタン１７を点灯または点滅させても良い。
【００４８】  なお、乗場ボタン１１及び行先階登録ボタン１７は、それぞれ、押しボタン式でも、タッチパネル式でも良い。または、その他の構成でも良い。
【符号の説明】
【００４９】  １  建物、１ａ  救出階、１ｂ  避難階、１ｃ  避難完了階、２  昇降路、３  かご、４  つり合いおもり、５  ロープ、６  巻上機、７  そらせ車、８  乗場、９  キースイッチ、１０  スピーカーマイク、１１  乗場ボタン、１２  乗場ドア、１３  天井、１４  かご壁、１５  かご床、１６  かごドア、１７  行先階登録ボタン、１８  満員判定装置、１９  エレベーター制御装置、２０  駆動装置、２１  非常事態感知装置
【図１】
2016079772.tif 000003
【図２】
2016079772.tif 000004
【図３】
2016079772.tif 000005
【図４】
2016079772.tif 000006
【図５】
2016079772.tif 000007
【図６】
2016079772.tif 000008
【図７】
2016079772.tif 000009
【図８】
2016079772.tif 000010
【図９】
2016079772.tif 000011
【国際調査報告】
2016079772.tif 000012
2016079772.tif 000013